【手続補正書】
【提出日】平成19年2月9日(2007.2.9)
【手続補正１】
【補正対象書類名】特許請求の範囲
【補正対象項目名】全文
【補正方法】変更
【補正の内容】
【特許請求の範囲】
【請求項１】
心臓動作に同期して圧力をある身体区域に印加するための体外式カウンターパルセーションによる心臓補助装置において、前記装置が空気供給手段及び前記身体区域を包囲するようになっているハウジングを備え、前記ハウジングが、比較的硬いチューブ状シェル、前記身体区域に近接して前記シェルの内部に配置される通気性のある内層及び前記シェルを前記身体区域に気密止めする手段を備え、前記シェルが前記空気供給手段と前記シェル内部の間を調節可能に連結している内部空気配給システムを備えることを特徴とする装置。
【請求項２】
前記シェルが、空気流通チャンバを画定する、外壁及び前記外壁に隣接するスペーサー手段を備えることを特徴とする請求項１に記載の装置。
【請求項３】
前記シェルが内壁をさらに備え、前記スペーサー手段が前記シェル内壁と前記シェル外壁の間に配置されていることを特徴とする請求項１に記載の装置。
【請求項４】
前記シェル内壁が前記チャンバと前記シェルの前記内部の間の空気流通を容易にする複数の開口を備えることを特徴とする請求項３に記載の装置。
【請求項５】
前記チャンバに通じるポートが前記シェル外壁にさらに設けられ、前記空気供給手段が前記ポートに連結されることを特徴とする請求項２に記載の装置。
【請求項６】
前記スペーサー手段が前記チャンバを複数の区画に分割することを特徴とする請求項２に記載の装置。
【請求項７】
前記スペーサー手段を貫通する通気路をさらに備えることを特徴とする請求項６に記載の装置。
【請求項８】
前記シェル内壁及び前記スペーサー手段が結合されて集成体を形成していることを特徴とする請求項３に記載の装置。
【請求項９】
前記シェル外壁が前記集成体に被せて配置されることを特徴とする請求項８に記載の装置。
【請求項１０】
前記シェル外壁を前記集成体に被せて固定する手段をさらに備えることを特徴とする請求項８に記載の装置。
【請求項１１】
前記シェル内壁及び前記スペーサー手段が一体であることを特徴とする請求項３に記載の装置。
【請求項１２】
前記シェル内壁がゴムからなることを特徴とする請求項３に記載の装置。
【請求項１３】
前記シェル内壁がプラスチックからなることを特徴とする請求項３に記載の装置。
【請求項１４】
前記内層が織布からなることを特徴とする請求項１に記載の装置。
【請求項１５】
前記内層がフェルトからなることを特徴とする請求項１に記載の装置。
【請求項１６】
前記内層がスポンジ様材料からなることを特徴とする請求項１に記載の装置。
【請求項１７】
前記シェル内壁が移動可能に連結された複数の個片からなることを特徴とする請求項３に記載の装置。
【請求項１８】
前記複数の個片が前記身体区域に対して縦方向に延びていることを特徴とする請求項１７に記載の装置。
【請求項１９】
前記シェル内壁が第１及び第２の相対的に移動可能な個片を備えることを特徴とする請求項３に記載の装置。
【請求項２０】
前記複数の個片が関節式に連結されていることを特徴とする請求項１７に記載の装置。
【請求項２１】
前記外壁が前記身体区域に対して横方向に延びている複数の個片からなることを特徴とする請求項２に記載の装置。
【請求項２２】
前記外壁が前記身体区域に対して縦方向に広がる複数の個片からなることを特徴とする請求項２に記載の装置。
【請求項２３】
前記シェル外壁が、曲げには比較的柔軟な、比較的非伸長性のプラスチック材料からなることを特徴とする請求項１に記載の装置。
【請求項２４】
前記内壁、前記外壁及び前記スペーサー手段が一体であることを特徴とする請求項３に記載の装置。
【請求項２５】
前記シェルを気密止めする前記手段が接着シールテープを含むことを特徴とする請求項１に記載の装置。
【請求項２６】
前記シェルを前記内層に被せて固定する手段をさらに備えることを特徴とする請求項１に記載の装置。
【請求項２７】
前記配給システム内の前記空気の温度を調節する手段をさらに備えることを特徴とする請求項１に記載の装置。
【請求項２８】
前記空気供給手段がポンプを含むことを特徴とする請求項１に記載の装置。
【請求項２９】
前記ポンプ及び前記ハウジングが閉じた系をなすことを特徴とする請求項２８に記載の装置。
【請求項３０】
前記ポンプがベローズを備えることを特徴とする請求項２８に記載の装置。
【請求項３１】
前記ポンプが前記ベローズと協動する回転カムを備え、前記カムの回転にともなって前記ベローズを拡張及び収縮させることを特徴とする請求項３０に記載の装置。
【請求項３２】
前記カムを回転させるための手段をさらに備えることを特徴とする請求項３１に記載の装置。
【請求項３３】
前記ベローズをその拡張状態方向にばね加圧する手段をさらに備えることを特徴とする請求項３１に記載の装置。
【請求項３４】
前記空気供給手段が真空を含むことを特徴とする請求項１に記載の装置。
【請求項３５】
前記空気供給手段がコンプレッサー及び真空ポンプを含むことを特徴とする請求項１に記載の装置。
【請求項３６】
ハウジングにおいて、前記ハウジングが、ある身体区域に近接して配置されるようになっている比較的硬いチューブ状シェル及び前記身体区域に前記シェルの両縁端を気密止めする手段を備え、前記シェルが、内壁と外壁を備え、及び前記シェル壁間にチャンバを画定するように前記シェル壁間に配置されたスペーサー手段を備え、前記シェル内壁が、前記身体区域に向かって方向付けられた複数の開口を備え、前記シェル外壁にあるポートが前記チャンバと前記ポートに連結される空気供給源とに通じていることを特徴とするハウジング。
【請求項３７】
前記身体区域と前記シェルの間に配置された通気性のある層をさらに備えることを特徴とする請求項３６に記載のハウジング。
【請求項３８】
前記シェル内壁が比較的硬質の材料からなることを特徴とする請求項３６に記載のハウジング。
【請求項３９】
前記シェル外壁が柔軟な材料からなることを特徴とする請求項３６に記載のハウジング。
【請求項４０】
心臓動作に同期して正及び負の相対圧をある身体区域に印加するための体外式カウンターパルセーションによる心臓補助装置において、前記装置が前記身体区域を包囲するようになっているハウジングを備え、前記ハウジングが、比較的硬いシェル、前記身体区域に近接して前記シェルの内部に配置される通気性のある内層及び前記身体区域の周りに前記シェルを気密止めする手段を備え、前記シェルが、内壁及び外壁、及び前記シェル壁間に空気流通チャンバを画定するように前記壁間に配置されたスペーサー手段を備え、前記シェル内壁は前記チャンバと前記シェルの前記内部とを連結する複数の開口を備え、前記外壁にあるポートが前記チャンバに通じ、心臓の動作にしたがって加圧空気及び相対真空を前記ポートに与えるように、空気供給手段及び相対真空手段が前記ポートに連結されていることを特徴とする装置。
【請求項４１】
前記スペーサー手段が前記チャンバを複数の区画に分割することを特徴とする請求項４０に記載の装置。
【請求項４２】
前記スペーサー手段を貫通する通気路をさらに備えることを特徴とする請求項４０に記載の装置。
【請求項４３】
前記シェル壁が、移動可能に連結された複数の個片からなることを特徴とする請求項４０に記載の装置。
【請求項４４】
前記複数の個片が関節式に連結されていることを特徴とする請求項４３に記載の装置。
【請求項４５】
前記チャンバ内の前記空気の温度を調節する手段をさらに備えることを特徴とする請求項４０に記載の装置。
【請求項４６】
心臓動作に同期して圧力をある身体区域に印加するための体外式カウンターパルセーションによる心臓補助装置において、前記装置が空気供給手段及び前記身体区域を包囲するようになっているハウジングを備え、前記ハウジングが前記身体区域に近接して配置される比較的硬いチューブ状シェル及び前記シェルを前記身体区域に気密止めする手段を備え、前記シェルが前記空気供給手段と前記シェルの内部とを調節可能に連結する内部空気配給システムを備えることを特徴とする装置。
【請求項４７】
前記シェルが外壁及び前記外壁に隣接するスペーサー手段を備えることを特徴とする請求項４６に記載の装置。
【請求項４８】
前記シェルが、内壁及び外壁、及び前記両壁間に空気流通チャンバを画定する前記両壁間のスペーサー手段を備えることを特徴とする請求項４６に記載の装置。
【請求項４９】
前記シェル内壁が、前記チャンバと前記シェルの前記内部の間の空気流通を容易にする複数の開口を備えることを特徴とする請求項４８に記載の装置。
【請求項５０】
前記チャンバに通じるポートを前記シェル外壁にさらに備え、前記空気供給手段が前記ポートに連結されることを特徴とする請求項４６に記載の装置。
【請求項５１】
前記スペーサー手段が前記チャンバを複数の区画に分割することを特徴とする請求項４８に記載の装置。
【請求項５２】
前記スペーサー手段を貫通する通気路をさらに備えることを特徴とする請求項４６に記載の装置。
【請求項５３】
集成装置において：ある身体区域に近接して配置されるようになっている比較的硬いチューブ状シェル及び前記シェルの両縁端を前記身体区域に気密止めする手段を備えるハウジング、前記シェルは空気配給チャンバを形成するために互いに隔てられた内壁及び外壁を備える；前記内壁に設けられた複数の開口；ポンプ；及び前記ポンプの動作に応じて空気が前記チャンバに出入りする閉じた系を形成するように前記ポンプを前記空気配給チャンバに連結する手段を含むことを特徴とする集成装置。
【請求項５４】
前記ポンプが、前記チャンバに調節可能に連結されるベローズ、前記ベローズを伸縮させるための手段及び前記ベローズをその拡張状態方向にばね加圧するための手段を備えることを特徴とする請求項５３に記載の集成装置。